(57)【要約】【課題】発光ダイオード素子を室内空間に設けることなく光源を取り付けられる設備ユニットを提供する。【解決手段】パネル材１１，１２同士を連結部材１３で連結して室内空間を画する設備ユニットにおいて、連結部材１３は、光源１４を取り付ける収容部１３ａと、収容部１３ａの両側から突出していてパネル材１１，１２の端部を係止する爪部１３ｂ，１３ｃとを備え、パネル材１１，１２の端部間に隙間が形成されるようにパネル材１１，１２同士はパネル材１１,１２の端部と爪部１３ｂ，１３ｃとが係止されることにより連結されており、収容部１３ａは隙間に設けられている。【選択図】図２
2010275823.tif 000002
【特許請求の範囲】
【請求項１】
ドア枠材やパネル材などの画成材同士を連結部材で連結して室内空間を画する設備ユニットにおいて、
上記連結部材は、光源を取り付ける収容部と、上記収容部の両側から突出していて上記画成材の端部を係止する爪部とを備え、
当該画成材の端部間に隙間が形成されるように、上記画成材同士は上記画成材の端部と上記爪部とが係止されることにより連結されており、
上記収容部は上記隙間に設けられていることを特徴とする、設備ユニット。
【請求項２】
前記連結部材は、熱伝導性材料で構成されていることを特徴とする、請求項１に記載の設備ユニット。
【請求項３】
前記収容部が前記室内空間側に開いた開口を有し、
上記開口はカバーで閉塞されており、
上記カバーは前記画成材と面一に配設されている、請求項１又は２に記載の設備ユニット。
【発明の詳細な説明】
【技術分野】
【０００１】
本発明は、浴室ユニットや洗面室ユニットなどの設備ユニットに係り、特に室内空間を有効活用できるように照明装置を取り付ける設備ユニットに関する。
【背景技術】
【０００２】
浴室ユニットや洗面室ユニットなどの設備ユニットは、パネル材同士を連結し、さらにパネル材とドア枠材とを連結して組み立てられている。
従来、設備ユニットの室内空間用の照明装置は画成材とは別部材として構成されている。この照明装置は、設備ユニットの壁部を構成するパネル材表面にそのまま取り付けることができなかったため、パネル材を加工して取り付けていた。
【０００３】
一方、照明装置の光源として高輝度の発光ダイオード素子が用いられており、特許文献１では、浴室の壁面に発光ダイオード素子を用いた照明装置を取り付ける構造として、壁面に複数の発光ダイオード素子を配置し、これらの発光ダイオード素子を覆うように前面に透明又は半透明の板材を取り付けたものが開示されている。特許文献２では、発光ダイオード素子を基板に実装し、基板表裏両側を樹脂でポッティングし、さらに、基板に放熱板を取り付けて熱を逃がす構造が開示されている。
【先行技術文献】
【特許文献】
【０００４】
【特許文献１】特開２００７−１９４１１７号公報
【特許文献２】特開２００１−３０７５４４号公報
【発明の概要】
【発明が解決しようとする課題】
【０００５】
照明用や装飾用の光源として高輝度の発光ダイオード素子を使用すると、特許文献２に示すように放熱板を取り付ける必要がある。この放熱板を浴室ユニットなどに設置すると見栄えが悪くなる。また、特許文献１のように浴室壁に発光ダイオード素子を配置してその前面に板材を取り付けると、照明装置が浴室空間に突出するためその浴室空間を有効活用することができない。
【０００６】
本発明は、上記問題点に鑑みてなされたものであり、発光ダイオード素子などの光源を室内空間に突出させることなく取り付け得る設備ユニットを提供することを目的とする。
【課題を解決するための手段】
【０００７】
上記目的を達成するために、本発明は、ドア枠材やパネル材などの画成材同士を連結部材で連結して室内空間を画する設備ユニットにおいて、連結部材は、光源を取り付ける収容部と、収容部の両側から突出していて画成材の端部を係止する爪部とを備え、当該画成材の端部間に隙間が形成されるように、画成材同士は画成材の端部と爪部とが係止されることによって連結されており、収容部は隙間に設けられていることを特徴としている。
本発明の設備ユニットにおいて、好ましくは、連結部材は熱伝導性材料で構成されている。
上記構成において、カバーが画成材の継ぎ目の表側から収容部表面を覆うように取り付けられることが好ましい。
【発明の効果】
【０００８】
本発明によれば、画成材を連結する連結部材に画成材同士の隙間に配設される収容部を設けており、その収容部に光源が収められるため、光源が画成材より表側に突出しないので、その浴室空間を有効活用することができる。また、連結部材に光源を取り付けているので、光源が発する熱が連結部材からも放散される。よって、放熱板を別途設ける必要がない。特に、画成材の継ぎ目の表側からカバーで収容部表面を覆うと、収容部の凹みが塞がれ、手入れが容易になる。
【図面の簡単な説明】
【０００９】
【図１】本発明の実施形態に係る浴室ユニット設備の一部を切り欠いて示す斜視図である。
【図２】第一の実施形態に関し、パネル材同士を連結した状態を示す断面図である。
【図３】第二の実施形態に関し、パネル材とドア枠材とを連結した状態を示す断面図である。
【図４】図３に示す第二の実施形態の第一変形例を示す断面図である。
【図５】図３に示す第二の実施形態の第二変形例を示す断面図である。
【図６】第三の実施形態に関し、パネル材とドア枠材とを連結した状態を示す断面図である。
【発明を実施するための形態】
【００１０】
以下、図面を参照しながら本発明の実施形態について詳細に説明する。図１は、本発明の実施形態に係る設備ユニットの一部を切り欠いて示す斜視図である。本発明の実施形態において、設備ユニット１とは、その構成部品である画成材としてのパネル材２やドア枠材３が連結部材７で連結され、室内空間としての浴室が画成されるものである。パネル材２は壁材や天井材として用いられ、ドア枠材３は折れ戸、開き戸、引き戸などの扉を開閉可能に取り付けるものであり、縦枠材、上枠材、下枠材等の枠材で構成される。
【００１１】
本実施形態に係る設備ユニット１は例えば図１に示すような浴室ユニットであり、壁材としてパネル材２同士が連結部材７で連結され、壁材としてのパネル材２と天井材としてのパネル材２とが連結部材（図１には示していない。）で連結されて、浴室空間が画成される。浴室ユニットの左側にはバスタブ４が設置され、バスタブ４の隣りには洗い場が設けられている。壁材としての奧側のパネル材２にはカウンター５と鏡６とが取り付けられている。カウンター５はバスタブ４と右側の壁材とに掛け渡されるように取り付けられている。
【００１２】
本発明の実施形態における設備ユニット１では、画成材としてのパネル材２同士を連結する際、隙間（以下、例えばパネル材同士の『間』と呼称する場合もある。）を設けてその隙間に連結部材７の収容部（図１には示していない。）が位置するように連結部材を配設する。この収容部に光源（図１には示していない。）を取り付けることで、光源を画成材としてのパネル材２の表側に突出させない。
光源は天井裏に配備されている制御ボックス８ａに配線コード（図示せず）で電気的に接続されている。制御ボックス８ａは電源ボックス８ｂに接続され、電源ボックス８ｂは配電盤８ｃに配線コードで接続されている。図示しないスイッチを操作すると、光源に通電され、光源が室内を照らす。以下、連結部材７でパネル材２同士を隙間をあけて連結し、その隙間に連結部材７の収容部が位置するように連結部材を配設し、かつ収容部に光源を取り付けた例や、パネル材２とドア枠材３とを隙間を空けて連結し、その隙間に連結部材７の収容部が位置するように連結部材を配設し、かつ収容部に光源を取り付けた例など、幾つかの実施形態を図２乃至図６に示す断面図を参照しながら詳細に説明する。
【００１３】
＜第一の実施形態＞
第一の実施形態では、二枚のパネル材を同一面上に並べて連結した場合について説明する。図２は第一の実施形態を示す断面図である。
パネル材１１，１２は例えば鋼板１１ｂ，１２ｂに断熱材１１ａ，１２ａが接着されて構成されている。鋼板１１ｂ，１２ｂの端部は断熱材１１ａ，１２ａの端部から外側へ突出するように長く、かつ、折片１１ｄ，１２ｄを含めてフック状に形成されている。折片１１ｄ，１２ｄは、断熱材１１ａ，１２ａと隙間を空けて設けられている。
【００１４】
連結部材１３は、後述する光源１４を取り付ける収容部１３ａと、この収容部１３ａの両側から互いに反対方向へ突出していて上記パネル材１１，１２の端部を係止する爪部１３ｂ，１３ｃと、から構成されている。
連結部材１３は、その収容部１３ａの両側面がパネル材１１，１２の左右側の側面に沿うように配設されている。具体的には、収容部１３ａは、奧壁部１３１ａと、この奧壁部１３１ａの左右から前方へ突出した左右の壁部１３２ａ，１３３ａと、から構成されており、これらの奧壁部１３１ａ、左右の壁部１３２ａ，１３３ａとで画成される領域に後述の光源１４を収容する。
爪部１３ｂ，１３ｃは、前述した鋼板１１ｂ，１２ｂのフック状の端部を係止する。爪部１３ｂ，１３ｃは、収容部１３ａから延設した基部１３５ｂ，１３５ｃと、基部１３５ｂ，１３５ｃの先端で折れ曲がった屈曲部１３６ｂ，１３６ｃと、から構成されている。
【００１５】
本実施形態では、連結部材１３、すなわち、収容部１３ａ及び爪部１３ｂ，１３ｃが熱伝導性材料、例えばアルミニウムなどの金属で構成されている。
【００１６】
爪部１３ｂ，１３ｃにおける基部１３５ｂ，１３５ｃと屈曲部１３６ｂ，１３６ｃとで画成される領域Ｓ内に、鋼板１１ｂ，１２ｂのフック状の端部が入れられて、図２に示すように、二枚のパネル材１１，１２は連結部材１３によって連結されている。屈曲部１３６ｂ，１３６ｃは、パネル材１１，１２の折片１１ｄ，１２ｄをそれぞれ圧接している。
【００１７】
連結部材１３で二枚のパネル材１１，１２を連結した状態では、二枚のパネル材１１，１２の表面は同一面上に並び、二枚のパネル材１１，１２の端部同士の間に連結部材１３の収容部１３ａが配設される。連結部材１３でパネル材１１，１２同士を連結した状態において、収容部１３ａの左右の壁部１３２ａ，１３３ａは、パネル材１１，１２の表面から室内空間側へ突出しないよう、寸法が選定されている。
【００１８】
次に、光源１４について説明する。
光源１４は、配線が配設されている基板１４ｂと、この基板１４ｂに実装された複数の発光ダイオード素子などの発光素子１４ａと、基板１４ｂの表面と共に発光素子１４ａを樹脂でモールドした保護部１４ｃと、から構成されている。保護部１４ｃによって湿気などに起因する導通不良を防止している。
プリント基板１４ｂは、図２に示すように、収容部１３ａの奧壁部１３１ａの表側に密着されている。
【００１９】
光源１４を収容した収容部１３ａの前面に、カバー１５が取り付けられる。カバー１５は、収容部１３ａの開口を閉塞する蓋部１５ａと、この蓋部１５ａの両側に設けられ収容部１３ａと各パネル材１１，１２との隙間に表側から挿入される目地部１５ｂと、から構成されている。
目地部１５ｂは、二枚のパネル材１１，１２と面一に配置される頭部１５１と、この頭部１５１の裏側に設けられた差込部１５２と、差込部１５２の両側に形成されたひれ片１５３と、から構成されている。
【００２０】
本実施形態のカバー１５において、蓋部１５ａは透明樹脂で形成され、目地部１５ｂは非透明の有色樹脂で形成されている。なお、カバー１５は、連結部材１３における凹状の収容部１３ａを表側から閉塞しているため、収容部１３ａに汚れなどが入らない。また、カバー１５の表面は隣り合うパネル材１１、１２の表面と面一となるため、設備ユニット壁面を容易に清掃できる。
【００２１】
本実施形態に係る設備ユニット１の組立は、例えば、以下の工程（１）〜（４）を順番に行う。
（１）画成材を連結して室内空間を形成する。すなわち、パネル材１１，１２同士を連結部材１３によって連結する。
（２）室内空間側に現れている連結部材１３の収容部１３ａに、光源１４を取り付ける。なお、光源１４は予め連結部材１３に取り付けられていてもよい。
（３）光源１４と制御ボックス８ａ、制御ボックス８ａと電源ボックス８ｂとを電気配線で接続する。
（４）カバー１５を収容部１３ａの前面に取り付ける。
【００２２】
このように本実施形態に係る設備ユニット１では、光源１４が室内空間側へ突出しないように、パネル材１１，１２の端部同士の間に位置する収容部１３ａに取り付けられるため、室内空間を有効に活用することができる。
【００２３】
また、本実施形態では、図示しないスイッチを操作すると発光素子１４ａに通電し、発光素子１４ａが発光する。その際、発光素子１４ａが発する熱が基板１４ｂを経由して連結部材１３に伝達し、各パネル材１１，１２の裏面に設けられている連結部材１３からも放散する。即ち、本実施形態の連結部材１３は、二枚のパネル材１１，１２を連結するだけでなく、放熱板の役目も果たしている。
【００２４】
＜第二の実施形態＞
第二の実施形態では、パネル材１１とドア枠材２２とを連結部材２３で連結する場合について説明する。図３は第二の実施形態を示す断面図である。
パネル材１１は、図３に示すように、第一の実施形態と同様の断面構造を有している。
ドア枠材２２は、断面中空で方形状の骨格部２２ａとこの骨格部２２ａの角部から照明方向と逆方向に延びる延出片２２ｂとが一体形成されており、延出片２２ｂには折れ戸又は開き戸の閉位置でドア６０とドア枠材２２との隙間をシールするためのパッキン６８を取り付けるためのパッキン取付部２２ｃが備えられている。なお、図３中の６５は額縁であり、ドア枠材２２が図示しないねじによって額縁６５に取り付けられている。
【００２５】
連結部材２３は、前述の連結部材１３と同様に、収容部１３ａと、この収容部１３ａの両側から突出した一対の爪部２３ｂ，２３ｃと、を備えているが、一方の爪部２３ｂがドア枠材２２に引っかかる点で前述の実施形態と異なる。具体的には、爪部２３ｂは、ドア枠材２２の骨格部２２ａの角部に引っかけられ、ドア枠材２２の骨格部２２ａにねじ２６で固定されている。
【００２６】
ドア枠材２２とパネル材１１とが連結された状態において、連結部材２３の収容部１３ａはドア枠材２２の表面及びパネル材１１の表面から突出しないように、寸法が選定されている。
この収容部１３ａには、前述の光源１４が取り付けられ、その前面がカバー１５で覆われている。収容部１３ａとドア枠材２２との隙間や収容部１３ａとパネル材１１との隙間にはカバー１５の目地部１５ｂが差し込まれている。カバー１５は、取り付けられた状態でドア枠材２２及びパネル材１１の各表面に面一になるように配設されている。
第一の実施形態と同様に、連結部材２３は熱伝導性材料で構成されている。
【００２７】
連結部材２３の収容部１３ａには、第一の実施形態と同様の構成の光源１４が室内空間側へ突出しないように取り付けられている。よって、室内空間を有効に活用することができる。また、第二の実施形態においても光源１４で発生する熱が連結部材２３からも放散され、連結部材２３はパネル材１１とドア枠材２２とを連結するだけでなく、放熱板としての役目も果たしている。
【００２８】
図４は図３に示す第二の実施形態の第一変形例を示す断面図である。図４に示す第一変形例は図３に示す形態とは次の点で異なる。
図３に示す形態では、ドア枠材２２の骨格部２２ａの室内空間側の表面とパネル材１１の表面とが面一になるようドア枠材２２とパネル材１１とが配設されているのに対して、第一変形例では、骨格部２２ａの室内空間側の表面とパネル材１１の表面とが直交するようドア枠材２２とパネル部材１１とが配設されている。すなわち、パネル材１１とドア枠材２２とそれらの間に配設される連結部材３３及びそれに被着したカバー３５とでコーナーを形成している。
【００２９】
連結部材３３は、前述の連結部材２３と同様に、収容部１３ａと、この収容部１３ａの両側から突出した一対の爪部３３ｂ，３３ｃと、を備えているが、収容部１３ａと他方の爪部３３ｃとの間に中間部３３ｄを有している。この連結部材３３の一方の爪部３３ｂはパネル材１１の折片１１ｄに裏側から圧接され、他方の爪部３３ｃはドア枠材２２における骨格部２２ａの角部に引っかかっている。
中間部３３ｄは、収容部１３ａの奧壁部１３１ａから右壁部１３３ａと垂直方向へ延出した第１中間部３３ｆと、この第１中間部３３ｆの先端から収容部１３ａの右壁部１３３ａに平行した第２中間部３３ｇとで、断面Ｌ字状に形成されている。この中間部３３ｄと収容部１３ａの右壁部１３３ａとで、溝部３３ｅが形成されている。
【００３０】
収容部１３ａの奧壁部１３１ａ表側に、第一の実施形態と同様の構成の光源１４が取り付けられ、その前面にカバー３５が取り付けられる。
カバー３５は、収容部１３ａの開口を閉塞する蓋部３５ａを備え、その蓋部３５ａの両側に一組の目地部３５ｂ，３５ｃが設けられる点は第１実施形態と同様であるが、溝部３３ｅに差込まれる目地部３５ｃが反対側の目地材３５ｂよりも肉厚に形成されている。
【００３１】
ここで、カバー３５の目地部３５ｃ側に、一辺が凹状に湾曲した三角形状の突出片３５ｅを備えている。突出片３５ｅはパネル材１１の表面とドア枠材２２の骨格部２２ａの室内空間側の表面とでなすコーナー部に位置し、入隅を埋めているので、コーナー部が清掃しやすい。
【００３２】
図５は図３に示す第二の実施形態の第二変形例を示す断面図である。図３に示す形態と異なる点は、パネル材４１、連結部材４３及びカバー４５の構造である。
パネル材４１はドア枠材２２の骨格部２２ａと同じ厚みを有している。パネル材４１は例えば表面材４１ｂの裏側に補強板４１ａが接着され、補強板４１ａの裏側に断熱材４１ｊが接着され、さらに断熱材４１ｊの裏側に裏面材４１ｃが接着されている。そして、表面材４１ｂ、裏面材４１ｃ、断熱材４１ｊ及び補強板４１ａの縁部側には枠材４１ｄが設けられている。
【００３３】
枠材４１ｄの端部には第一の溝部４１ｅが形成されている。そして、連結部材４３の収容部４３ａの右壁部４３ｄには、第一の溝部４１ｅに嵌合する凸部４３ｇが形成されている。枠材４１ｄには連結部材４３の爪部４３ｃを係止する第二の溝部４１ｆが形成されている。この第二の溝部４１ｆに対応して裏面材４１ｃには孔４１ｇが形成されている。
他方の爪部４３ｂは、ドア枠材２２の骨格部２２ａの裏側に当接する。
図５に示す第二変形例では、連結した状態において、パネル材４１とドア枠材２２の骨格部２２ａとはその表面及び裏面が共に面一になるようにパネル材４１とドア枠材２２が配置されている。
【００３４】
収容部４３ａの左右の壁部４３ｄ，４３ｅは、その先端部が、パネル材４１及びドア枠材２２の表側から突出しないよう、寸法が選定されている。また、左右の壁部４３ｄ，４３ｅの先端部には溝部が形成されており、この溝部にカバー４５の目地部４５ｂが表側から挿入されている。
【００３５】
第二変形例においても、収容部４３ａはドア枠材２２とパネル材４１との間に配置される。そして収容部４３ａに光源１４が室内空間側へ突出しないように取り付けられるため、その室内空間を有効に活用することができる。さらに光源１４の発光ダイオード素子１４ａが発する熱を連結部材４３からも放散させることもできる。
なお、図示の例では、ドア枠材２２における骨格部２２ａの角部が一部面取りされているので、カバー４５のドア枠材２２側もその形状に合わせてドア枠材２２側に突出して形成されており、パネル材４１、カバー４５及びドア枠材２２の表側が面一を呈している。
【００３６】
＜第三の実施形態＞
第三の実施形態では、パネル材４１とドア枠材２２とでコーナーを形成するように連結する場合について説明する。図６は第三の実施形態に係る断面図である。
連結部材５３は、収容部５３ａとこの収容部５３ａからその両側へ突出した一対の爪部５３ｂ，５３ｃとから構成されている点では、前述の実施形態と同様である。
一方の爪部５３ｂは、パネル材４１の縁部に裏側から係止され、断面Ｌ字状に形成されている。他方の爪部５３ｃは、ドア枠材２２の骨格部２２ａに裏側から係止され、断面Ｌ字状に形成されている。
【００３７】
収容部５３ａは、奧壁部５３１ａと左右の壁部５３２ａ，５３３ａとから構成されている点では、前述の実施形態と同様であるが、前述の実施形態では左右の壁部１３２ａ，１３３ａと奧壁部１３１ａとが成す角度が直角であったのに対して、本実施形態では左壁部５３２ａと奧壁部５３１ａとが成す角度θ１が９０度未満に、そして右壁部５３３ａと奧壁部５３１ａとが成す角度θ２が９０度より大きくなるように形成されている。左右の壁部５３２ａ，５３３ａはパネル材４１の厚み方向に延びている。
このように、本実施形態では、パネル材表面に対して垂直方向ではなく、斜め方向、すなわち、略室内中央側を向くように光源１４が配置されている。
【００３８】
この収容部５３ａの右壁部５３３ａと一方の爪部５３ｃとが一体形成されている。この一方の爪部５３ｃと収容部５３ａの奥壁部５３１ａとに掛け渡されるように、補強部５３ｄが設けられている。補強部５３ｄは、パネル材４１の厚み方向に延びる第１中間部５３ｆと、第１中間部５３ｆに対して鈍角をなす第２中間部５３ｇとで構成されている。
収容部５３ａの左壁部５３２ａの先端部には溝部が形成されており、この溝部にカバー５５の目地部５５ｂが表側から挿入されている。さらに、左壁部５３２ａには、突起５３ｈがパネル材４１側へ突出して形成されている。
【００３９】
この連結部材５３は、一方の爪部５３ｂをパネル材４１に裏側から当接し、パネル材４１の枠材４１ｄにねじ５６で固定される。そして、他方の爪部５３ｃをドア枠材２２の骨格部２２ａに裏側から引っかけ、左壁部５３２ａの突起５３ｈをパネル材４１の切欠４１ｅに挿入する。
【００４０】
第三の実施形態においても、連結部材５３がパネル材４１とドア枠材２２との間に設けられ、光を照射するよう奧壁部５３１ａの表側に光源１４が取り付けられる。よって、光源１４における発光ダイオード素子１４ａが発する熱を連結部材５３からも放散させることができる。
【００４１】
また、カバー５５の目地部５５ｂが左壁部５３２ａに設けた溝に表側から挿入され、カバー５５における蓋部５５ａのドア枠材２２側が骨格部２２ａに当接している。収容部５３ａは凹状に形成されているが、カバー５５により収容部５３ａが塞がれている。
【００４２】
本発明の実施形態は上述したように、隣り合う二枚のパネル材等１１，１２，２２，４１同士を連結部材１３，２３，３３，４３，５３で連結し、しかもその連結部材１３，２３，３３，４３，５３の収容部１３ａ,４３ａ,５３ａに光源１４を取り付けているので、連結部材１３，２３，３３，４３，５３は二枚のパネル材等１１，１２，２２，４１の連結のみならず光源１４を支持する。
すなわち、収容部１３ａ,４３ａ,５３ａに光源１４がパネル材等１１，１２，２２，４１より表側に突出しないよう収められるため、その室内空間を有効に活用することができる。また、連結部材１３，２３，３３，４３，５３に光源１４を取り付けるので、光源１４が発する熱が連結部材１３，２３，３３，４３，５３からも放散される。よって、放熱板を別途設ける必要がない。パネル材等１１，１２，２２，４１同士の間に収容部１３ａ,４３ａ,５３ａが配設され、その前面をカバー１５，３５，４５，５５で覆うので、収容部１３ａ,４３ａ,５３ａの凹みが塞がれ、手入れが容易になる。
【００４３】
本発明の実施形態は図示したものに限られない。上述した例では、連結部材の形状、特に各爪部の形状は図示した例以外にも、パネル材やドア枠材の縁部の断面形状に対応して変更することができる。
【符号の説明】
【００４４】
１：設備ユニット
２，１１，１２，４１：パネル材
３：ドア枠材
４：バスタブ
５：カウンター
６：鏡
７，１３，２３，３３，４３，５３：連結部材
８ａ：制御ボックス
８ｂ：電源ボックス
８ｃ：配電盤
１１ａ，１２ａ，４１ｊ：断熱材
１１ｂ，１２ｂ：鋼板
１１ｄ，１２ｄ：折片
１３ａ，４３ａ，５３ａ：収容部
１３１ａ，５３１ａ：奧壁部
１３３ａ，４３ｄ，４３ｅ，５３２ａ，５３３ａ：壁部
１３ｂ，１３ｃ，２３ｂ，２３ｃ，３３ｂ，３３ｃ，４３ｂ，４３ｃ，５３ｂ，５３ｃ：爪部
１３５ｂ，１３５ｃ：基部
１３６ｂ，１３６ｃ：屈曲部
１４：光源
１４ａ：発光素子
１４ｂ：基板
１４ｃ：保護部
１５，３５，４５：カバー
１５ａ，３５ａ，５５ａ：蓋部
１５ｂ，３５ｂ，３５ｃ，４５ｂ１，５５ｂ：目地部
１５１：頭部
１５２：差込部
１５３：ひれ片
２２：ドア枠材
２２ａ：骨格部
２２ｂ：延出部
２２ｃ：パッキン取付部
２６，５６：ねじ
３３ｄ：中間部
３３ｆ：第１中間部
３３ｇ：第２中間部
３３ｅ：溝部
３５ｅ：突出片
４１ｂ：表面材
４１ｃ：裏面材
４１ｄ：枠材
４１ｅ：第一の溝部
４１ｆ：第二の溝部
４１ｇ：孔
４３ｇ：凸部
５３ｄ：補強部
５３ｆ：第１中間部
５３ｇ：第２中間部
５３ｈ：突起
６０：ドア
６５：額縁
６８：パッキン
【図１】
2010275823.tif 000003
【図２】
2010275823.tif 000004
【図３】
2010275823.tif 000005
【図４】
2010275823.tif 000006
【図５】
2010275823.tif 000007
【図６】
2010275823.tif 000008